(57)【要約】【課題】  放送関連情報の取得操作を開始してから所望の放送関連情報を得るまでの時間を短縮することができる移動体通信端末および放送情報提供システムを提供する。【解決手段】  本移動体通信端末２０は、データ通信部２１２とチューナー部２１７と出力部２１６と記憶部２１８と主制御部２１５とを備える。主制御部２１５は、放送局からの放送の内容に関連した放送関連情報を保持する放送情報提供サーバ７０から所望の放送関連情報を受信して取得する放送情報取得手段として機能する。主制御部２１５は、放送関連情報を受信して取得する際に、情報ステーション５０から受信されて記憶部２１８に記憶されている位置情報を、放送情報提供サーバ７０に送信する。【選択図】  図３
2006222571.tif 000002
【特許請求の範囲】
【請求項１】
通信ネットワークを介して通信を行う通信手段と、放送局からの放送を受信する放送受信手段と、該放送受信手段で受信した放送の内容を出力する放送内容出力手段とを備えた移動体通信端末において、
放送局からの放送の内容に関連した放送関連情報を保持する放送情報提供サーバから所望の放送関連情報を受信して取得する放送情報取得手段と、
情報配信サーバから、移動体通信端末の位置情報を含む配信情報を定期的に受信する配信情報受信手段と、
該配信情報受信手段で受信した位置情報を記憶する位置情報記憶手段とを備え、
該放送情報取得手段は、該放送情報提供サーバから所望の放送関連情報を取得する際、該記憶手段に記憶されている該位置情報を該放送情報提供サーバに送信することを特徴とする移動体通信端末。
【請求項２】
請求項１の移動体通信端末において、
上記放送情報取得手段は、上記放送情報提供サーバへ送信する位置情報を一時的に保持する位置情報保持手段を有し、
上記配信情報受信手段で位置情報を含む配信情報を受信したとき、該配信情報受信手段で受信した位置情報により、該位置情報保持手段に一時的に保持されている位置情報を更新する位置情報更新手段を備えたことを特徴とする移動体通信端末。
【請求項３】
請求項１または２の移動体通信端末において、
上記放送関連情報を記憶する放送情報記憶手段と、
上記放送受信手段で放送の受信を開始したときに、上記放送情報取得手段で放送関連情報を取得して該放送情報記憶手段に保存し、該放送受信開始の後、所定時間経過したときまたは受信対象の放送局が変更になったとき、該放送情報取得手段で放送関連情報を取得し、該放送情報記憶手段に記憶されている放送関連情報を該取得した放送関連情報に更新する放送関連情報保存手段とを備えたことを特徴とする移動体通信端末。
【請求項４】
請求項１、２または３の移動体通信端末において、
情報を表示する表示手段と、
上記配信情報受信手段で受信した位置情報に基づいて限定した地域で受信可能な放送局の情報のみ該表示手段に表示するように制御する表示制御手段とを備えたことを特徴とする移動体通信端末。
【請求項５】
請求項４の移動体通信端末において、
上記表示制御手段は、上記位置情報に基づいて上記地域を限定するか、手動で上記地域を限定するかの切り換えが可能であることを特徴とする移動体通信端末。
【請求項６】
請求項１、２、３、４または５の移動体通信端末において、
上記放送情報取得手段は、上記放送受信手段の起動時に、当該移動体通信端末が位置する地域で受信可能な放送局の番組表のデータを、上記放送関連情報として上記放送情報提供サーバから取得し、
情報を表示する表示手段と、
該放送情報取得手段で取得した該放送局の番組表を該表示手段に表示するように制御する表示制御手段とを備えたことを特徴とする移動体通信端末。
【請求項７】
請求項１、２、３、４、５または６の移動体通信端末において、
上記放送情報取得手段で取得する放送関連情報を選択する選択手段を備え、
該放送情報取得手段は、該選択手段で選択した放送関連情報を放送情報提供サーバから取得することを特徴とする移動体通信端末。
【請求項８】
放送局からの放送に関連した放送関連情報を保持し、移動体通信端末からの要求により所望の放送関連情報を該移動体通信端末に送信する放送情報提供サーバと、該移動体通信端末に位置情報を含む配信情報を定期的に送信する情報配信サーバと、移動体通信端末とを備えた放送情報提供システムにおいて、
該移動体通信端末が、請求項１、２、３、４、５、６または７の移動体通信端末であることを特徴とする放送情報提供システム。
【発明の詳細な説明】
【技術分野】
【０００１】
本発明は、ラジオやテレビ等の放送局からの放送を受信可能な携帯電話機等の移動体通信端末及び放送情報提供システムに関するものである。
【背景技術】
【０００２】
従来、移動体通信端末としての携帯電話機として、例えば特許文献１に記載されたものが知られている。この特許文献１に記載された携帯電話機は、電話機能の他に、放送を選局受信するチューナ機能を備えている。この携帯電話機は、ラジオ放送を受信して外部出力用スピーカから出力される放送音声を聞いたり、テレビ放送を受信してディスプレイに表示される放送画像及び外部出力用スピーカから出力される放送音声を視聴したりすることができる。
【０００３】
一方、ラジオ放送局から放送されていた楽曲の曲名等の放送関連情報を上記チューナ機能付き携帯電話機から放送情報提供サーバに要求し、携帯電話機の表示部に要求した放送関連情報を表示する放送情報提供システムが知られている（例えば、特許文献２参照）。この放送情報提供システムにおいて、携帯電話機のリクエストキーを押すと放送情報提供サーバから放送関連情報の取得を開始する。この取得開始時に、携帯電話機は、放送関連情報の要求指令とともにラジオ放送局の周波数情報や位置情報等を放送情報提供サーバに送信する。そして、放送情報提供サーバは、放送関連情報の要求指令とともに受信した周波数情報及び位置情報からラジオ放送局を特定し、この放送局が放送した放送関連情報を検索して携帯電話機に送信する。携帯電話機は、放送情報提供サーバから送信された放送関連情報を受信して、この放送関連情報を携帯電話機のディスプレイに表示する。
【０００４】
【特許文献１】特開平８−１２５７２３号公報
【特許文献２】特開２００３−９２５５６号公報
【発明の開示】
【発明が解決しようとする課題】
【０００５】
上記特許文献２に記載の携帯電話機は、リクエストキーを押したときに、基地局と通信を行って基地局に位置情報を要求することにより、上記放送情報提供サーバに送信する位置情報を基地局から取得する。基地局との通信により位置情報を取得した携帯電話は、放送関連情報要求指令と周波数情報と基地局から取得した位置情報とを放送情報提供サーバに送信する。このように、特許文献２に記載の携帯電話機は、リクエストキーを押した後に基地局と通信して位置情報を取得してから、放送情報提供サーバと通信を行う。そのため、リクエストキーを押してから放送関連情報が表示されるまでに時間を要するという問題があった。
【０００６】
本発明は、上記問題に鑑みなされたものであり、その目的とするところは、放送関連情報の取得操作を開始してから所望の放送関連情報を得るまでの時間を短縮することができる移動体通信端末および放送情報提供システムを提供することである。
【０００７】
なお、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機、固定電話機等の通話機能を有する電話機が挙げられる。また、この「移動体通信端末」としては、上記電話機のほか、通話機能を有するＰＤＡ（Personal Digital Assistance）等の通信端末も挙げられる。
【課題を解決するための手段】
【０００８】
上記目的を達成するために、請求項１の発明は、通信ネットワークを介して通信を行う通信手段と、放送局からの放送を受信する放送受信手段と、該放送受信手段で受信した放送の内容を出力する放送内容出力手段とを備えた移動体通信端末において、放送局からの放送の内容に関連した放送関連情報を保持する放送情報提供サーバから所望の放送関連情報を受信して取得する放送情報取得手段と、情報配信サーバから、移動体通信端末の位置情報を含む配信情報を定期的に受信する配信情報受信手段と、該配信情報受信手段で受信した位置情報を記憶する位置情報記憶手段とを備え、該放送情報取得手段は、該放送情報提供サーバから所望の放送関連情報を取得する際、該記憶手段に記憶されている該位置情報を該放送情報提供サーバに送信することを特徴とするものである。
また、請求項２の発明は、請求項１の移動体通信端末において、上記放送情報取得手段は、上記放送情報提供サーバへ送信する位置情報を一時的に保持する位置情報保持手段を有し、上記配信情報受信手段で位置情報を含む配信情報を受信したとき、該配信情報受信手段で受信した位置情報により、該位置情報保持手段に一時的に保持されている位置情報を更新する位置情報更新手段を備えたことを特徴とするものである。
また、請求項３の発明は、請求項１または２の移動体通信端末において、上記放送関連情報を記憶する放送情報記憶手段と、上記放送受信手段で放送の受信を開始したときに、上記放送情報取得手段で放送関連情報を取得して該放送情報記憶手段に保存し、該放送受信開始の後、所定時間経過したときまたは受信対象の放送局が変更になったとき、該放送情報取得手段で放送関連情報を取得し、該放送情報記憶手段に記憶されている放送関連情報を該取得した放送関連情報に更新する放送関連情報保存手段とを備えたことを特徴とするものである。
また、請求項４の発明は、請求項１、２または３の移動体通信端末において、情報を表示する表示手段と、上記配信情報受信手段で受信した位置情報に基づいて限定した地域で受信可能な放送局の情報のみ該表示手段に表示するように制御する表示制御手段とを備えたことを特徴とするものである。
また、請求項５の発明は、請求項４の移動体通信端末において、上記表示制御手段は、上記位置情報に基づいて上記地域を限定するか、手動で上記地域を限定するかの切り換えが可能であることを特徴とするものである。
また、請求項６の発明は、請求項１、２、３、４または５の移動体通信端末において、上記放送情報取得手段は、上記放送受信手段の起動時に、当該移動体通信端末が位置する地域で受信可能な放送局の番組表のデータを、上記放送関連情報として上記放送情報提供サーバから取得し、情報を表示する表示手段と、該放送情報取得手段で取得した該放送局の番組表を該表示手段に表示するように制御する表示制御手段とを備えたことを特徴とするものである。
また、請求項７の発明は、請求項１、２、３、４、５または６の移動体通信端末において、上記放送情報取得手段で取得する放送関連情報を選択する選択手段を備え、該放送情報取得手段は、該選択手段で選択した放送関連情報を放送情報提供サーバから取得することを特徴とするものである。
また、請求項８の発明は、放送局からの放送に関連した放送関連情報を保持し、移動体通信端末からの要求により所望の放送関連情報を該移動体通信端末に送信する放送情報提供サーバと、該移動体通信端末に位置情報を含む配信情報を定期的に送信する情報配信サーバと、移動体通信端末とを備えた放送情報提供システムにおいて、該移動体通信端末が、請求項１、２、３、４、５、６または７の移動体通信端末であることを特徴とするものである。
【発明の効果】
【０００９】
請求項１乃至８の発明によれば、放送情報取得手段によって放送情報提供サーバから所望の放送関連情報を取得するときに、配信情報受信手段で情報配信サーバから定期的に受信して記憶手段に記憶された位置情報を送信する。このように放送情報提供サーバから放送関連時報を取得するときに、情報配信サーバから定期的に受信して記憶手段に記憶されている位置情報を情報配信サーバへ送信できるため、基地局との通信で位置情報を取得する必要がない。よって、放送関連情報の取得操作を開始してから所望の放送関連情報を得るまでの時間を短縮することができるという効果がある。
【発明を実施するための最良の形態】
【００１０】
以下、本発明の実施形態を、図面を参照しながら説明する。
図１（ａ）は、移動体通信端末としての携帯電話機２０の外観を示す正面図であり、図１（ｂ）はその背面図である。また、図２は、その携帯電話機２０のハードウェア構成を示す概略構成図である。
この携帯電話機２０は、クラムシェル（折り畳み）タイプの携帯電話機である。この携帯電話機２０は、システムバス２００、ＣＰＵ２０１、ＲＡＭ２０２やＲＯＭ２０３等からなる内部制御装置、入力装置２０４、出力装置２０５、携帯電話通信網用通信装置２０６及びチューナー装置２０７を備えている。
図２に示すＣＰＵ２０１やＲＡＭ２０２等の構成要素は、システムバス２００を介して、互いに各種データや後述のプログラムの命令等のやり取りを行っている。上記入力装置２０４は、データ入力キー（テンキー、＊キー、＃キー）２１、通話開始キー２２、終話キー２３、スクロールキー２４、多機能キー２５、マイク２６などから構成されている。上記出力装置２０５は、液晶ディスプレイ（ＬＣＤ）からなる表示部２７、通話用スピーカ２８、外部出力用スピーカ２９、イヤホン３０等から構成されている。上記携帯電話通信網用通信装置２０６は、移動体通信ネットワークとしての携帯電話通信網を介して他の携帯電話機と電話をしたり、携帯電話通信網を介してメールやショートメッセージ等の通信を行ったりするためのものである。上記チューナー装置２０７は、ラジオ放送局から送信される電波放送を選局して受信するためのものである。
【００１１】
図３は、上記携帯電話機２０の主要部を抽出して示したブロック図である。
この携帯電話機２０は、電話手段としての電話通信部２１１、情報受信手段としてのデータ通信部２１２、操作手段としての操作部２１３、スピーカ出力制御手段、イヤホン出力制御手段、スピーカ放送音出力停止手段、スピーカ放送音出力手段、アプリケーションプログラム実行手段及び設定情報保存手段としての主制御部２１５、スピーカ出力手段及びイヤホン出力手段としての出力部２１６、放送受信手段としてのチューナー部２１７、位置情報記憶手段としての記憶部２１８等を備えている。
【００１２】
また、上記記憶部２１８は、配信サーバから定期的に受信する位置情報を記憶する位置情報記憶手段としても用いられる。さらに、上記記憶部２１８は、放送情報提供サーバから受信する放送関連情報を記憶する放送情報記憶手段としても用いられる。
【００１３】
上記電話通信部２１１は、他の携帯電話機や固定電話機と電話通信を行うために、携帯電話通信網の基地局と無線通信を行うものであり、上述のハードウェア構成上の携帯電話通信網用通信装置２０６等に対応する。この電話通信部２１１で電話の着信信号を受信すると、電話の着信が出力部２１６によりユーザーに特定の音、表示、振動等で報知される。この電話の着信が報知された場合は、ユーザーは操作部２１３の通話開始キー２２を押すことで通話を行うことができる。
【００１４】
上記データ通信部２１２は、上記電話通信部２１１と同様に、上述のハードウェア構成上の携帯電話通信網用通信装置２０６等に対応する。このデータ通信部２１２は、携帯電話通信網を介して他の携帯電話機とメールのやり取りを行ったり、携帯電話通信網からゲートウェイサーバを介してインターネット等の外部通信ネットワークに接続し、インターネット上での電子メールのやり取り等を行ったりするためのものである。
【００１５】
上記操作部２１３は、ユーザーが操作可能な上述のテンキー２１、通話開始キー２２、終話キー２３等で構成されている。この操作部２１３を操作することにより、ユーザーは、電話着信の際に通話の開始及び終了を行ったり、携帯電話機２０の各種設定や動作モードを選択したりすることができる。
【００１６】
上記主制御部２１５は、上記電話通信部２１１、データ通信部２１２、操作部２１３、出力部２１６、チューナー部２１７及び記憶部２１８を制御するものであり、上述のシステムバス２００、ＣＰＵ２０１やＲＡＭ２０２等で構成されている。この主制御部２１５は、上記電話通信部２１１や上記データ通信部２１２等を制御するための通信制御用プログラムやユーザインターフェースを実行する。
また、主制御部２１５は、各種アプリケーションプログラムを実行可能なアプリケーションプログラム実行手段として機能する。例えば、主制御部２１５は、上記チューナー部２１７を制御するためのラジオアプリケーションプログラムを実行することで、ラジオ放送局から送信されるラジオ放送を聴くことを可能にする。また、ラジオアプリケーションプログラムには、後述する放送情報提供サーバ７０との通信を制御するための通信プログラムを備えている。この通信プログラムを実行することにより、主制御部２１５は、放送情報提供サーバ７０から放送関連情報を取得する放送情報取得手段として機能する。
また、主制御部２１５は、利用者が所定の操作を行うことでモード設定手段として機能し、その操作内容に基づいて、電話やメール等の着信音を外部出力用スピーカ２９から出力する通常モード（第１モード）か、その着信音を外部出力用スピーカ２９から出力しないマナーモード（第２モード）のいずれかのモードに設定する。
また、上記主制御部２１５は、放送情報取得手段で取得する放送関連情報の内容を選択する選択手段としても機能する。
さらに、上記主制御部１２５は、情報配信サーバとしての情報ステーション５０から位置情報を含む配信情報を定期的に受信する配信情報受信手段としても用いられる。
【００１７】
上記出力部２１６は、表示部としてのＬＣＤ２７、通話用スピーカ２８、外部出力用スピーカ２９及びイヤホン３０、並びに外部出力用スピーカ２９から出力される音量を調節するための音量調節手段である音量調節部等からなる出力装置２０５等で構成されている。この出力部２１６は、上記データ通信部２１２で受信したショートメッセージやメールの内容を上記主制御部２１５の制御の下、ＬＣＤ２７に表示する。また、出力部２１６のＬＣＤ２７は、上記電話通信部２１１で電話を着信した旨をユーザーに報知するときに用いられる。また、上記データ通信部２１２でショートメッセージを着信した旨や情報提供サーバからの情報を着信した旨をユーザーに報知するときにも用いられる。具体的には、これらの着信を受けると、主制御部２１５により、出力部２１６のＬＣＤ２７に着信報知画像を表示したり、外部出力用スピーカ２９から着信音を出力させたりする。
また、出力部２１６は、チューナー部２１７から送られてくる音信号用の外部出力用スピーカ音量調節部（ラジオ放送用音量調節部）と、それ以外の音信号用の外部出力用スピーカ音量調節部（一般音量調節部）とをそれぞれ個別に備えており、各音量調節部は主制御部２１５によって独立に制御される。また、出力部２１６は、携帯電話機本体外部に露出したイヤホン端子を備え、イヤホン３０はこの端子に対して着脱自在に構成されている。そして、出力部２１６は、このイヤホン３０から出力される音量を調節するためのイヤホン音量調節部（イヤホン音量調節部）を有し、このイヤホン音量調節部は、上述したラジオ放送用音量調節部及び一般音量調節部とは独立して主制御部２１５によって独立に制御される。
【００１８】
上記チューナー部２１７は、上述のハードウェア構成上のチューナー装置２０７や放送受信用アンテナ等に対応する。このチューナー部２１７は、ラジオ放送局から送信されるラジオ放送電波のうち、主制御部２１５から指示された周波数の電波を選択的に受波し、その電波放送を受信する一般的なラジオチューナーとしての機能を有する。このチューナー部２１７で受信したラジオ放送の内容は、出力部２１６へ直接伝送され、出力部２１６のラジオ放送用音量調節部を介して外部出力用スピーカ２９から出力される。また、このチューナー部２１７で受信したラジオ放送の内容は、出力部２１６のイヤホン音量調節部を介してイヤホン３０からも出力される。
【００１９】
次に、放送情報提供システムについて説明する。
図４は、放送情報提供システムの全体構成を示すブロック図である。図４に示すように、放送情報提供システムは、携帯電話機２０にラジオ放送を放送するラジオ局３０と、携帯電話機２０と無線接続してデータの通信を行う基地局８０と、携帯電話機２０にラジオ放送局の楽曲などの放送関連情報を提供する放送情報提供サーバ７０とを備えている。さらに、放送情報提供システムは、携帯電話機２０が位置する位置情報や地域情報等を携帯電話機２０に一方的に送信する情報配信サーバとしての情報ステーション５０を備えている。また、放送情報提供サーバ７０のデータベース７４に格納されている放送局情報を更新するラジオ局サーバ６０を備えている。このラジオ局サーバ６０は、ラジオ局３０内に設けてもいいし、ラジオ局３０の外側で放送情報提供サーバ７０にアクセス可能な箇所に設けてもよい。情報ステーション５０からの位置情報を含む配信情報や、放送情報提供サーバ７０からの放送関連情報は、基地局８０を介して携帯電話機２０に送信されるようになっている。
【００２０】
放送情報提供サーバ７０は、携帯電話機２０からの要求に応答する応答部７１と、各ラジオ局の放送局の放送関連情報を保存するデータベース７４とを有している。また、放送情報提供サーバ７０は、携帯電話機８０から受信した位置情報と周波数情報とから、該当するラジオ放送局の放送関連情報をデータベース７４から検索する検索部７３と、検索部７３に現在時刻を提供する時刻部７２とを有している。
上記データベース７４には、図５に示すように、放送局テーブルが格納されており、放送局テーブルには、放送関連情報として例えば、放送時間と楽曲情報とが保持されている。放送局テーブルは、放送局毎に有している。なお、図５に示す放送局テーブルは、一例であり、その他にアーテイスト情報、放送日時などを一緒に保持していても良い。
上記検索部７３には、図６に示す放送局特定テーブルが格納されている。放送局特定テーブルは、例えば、図６に示すように、受信地域、位置情報、周波数情報、放送局情報が格納されている。
上記応答部７１は、携帯電話機２０に表示するページを作成して、携帯電話機２０に送信する。
【００２１】
ラジオ局サーバ６０は、上記放送情報提供サーバ７０にアクセスし、データベース７４内を構成する図５に示す自局の放送局テーブルを最新情報に変更することができる。
【００２２】
情報ステーション５０は、携帯電話通信網４０及び基地局８０を介して、所定の通信チャンネルによって各基地局８０の位置情報、地域情報、コンテンツ情報等の各種情報を配信する。このように各種情報が送信される通信チャンネルについて、携帯電話機２０の主制御部１２５が所定のタイミングで受信動作を実行することにより、その通信チャンネルで送信されている情報を取得し情報記憶手段としての内部メモリーに保存することができる。各通信チャンネルに対する受信動作は、予め初期設定で設定されているタイミングや、利用者が設定したタイミングで実行することができる。この受信動作は定期的に実行される。
【００２３】
例えば、基地局ＡのセルＡの範囲に位置する携帯電話機２０Ａには基地局Ａの位置情報が、基地局ＢのセルＢの範囲に位置する携帯電話機２０Ｂには基地局Ｂの位置情報が、基地局ＣのセルＣの範囲に位置する携帯電話機２０Ｃ、２０Ｄにはそれぞれ基地局Ｃの位置情報が送信される。携帯電話機２０の主制御部１２５は、所定のタイミングで受信動作を実行して位置情報を取得し、位置情報記憶手段としての内部メモリーに保存する。携帯電話機２０の位置情報の受信は、例えば、電源ＯＮ時に、定期的に、及び携帯電話機２０が位置するセルが変わるたびに行われる。
【００２４】
次に、携帯電話機２０による放送情報取得手順について説明する。
まず、携帯電話機２０の図示しないリクエストキーが押されたら、ラジオアプリケーションから、共有のメモリー領域の書き込みや読み出しを管理するメモリー管理プログラムに位置情報の読み出し要求指令を送る。メモリー管理プログラムは、上記要求指令に基づいて共有のメモリー領域から位置情報を読み出して、読み出した位置情報をラジオアプリケーションプログラム内の通信プログラムが参照するメモリー領域に渡す。通信プログラムは、放送関連情報として楽曲情報を放送情報提供サーバ７０に対して要求するとともに、周波数情報と位置情報とを放送情報提供サーバ７０に送信する。放送情報提供サーバ７０は、携帯電話機２０から送信された周波数情報と位置情報とを受信して、検索部７３に送る。検索部７３は、周波数情報および位置情報と図６の放送局特定テーブルとを比較して、放送局を特定する。放送局を特定したら、特定した放送局の情報と、時刻部７２から得られた現在時刻とに基づき、楽曲情報を検索する。検索部７３は、現在時刻から、過去３曲分の楽曲と放送時刻とのデータをデータベースから取り出して、応答部７１に送る。応答部７１は、この楽曲と放送時刻とのデータに基づいて、例えば、図７に示すような応答ページを作成し、この応答ページのデータを携帯電話機２０に送信する。携帯電話機２０は、ラジオアプリケーションプログラム内の通信プログラムで応答ページのデータを受信して応答ページを表示部２７に表示する。
【００２５】
なお、上記放送情報取得手順においては、ユーザーがリクエストキーを押したときに、放送情報提供サーバ７０に放送関連情報を要求する要求指令、位置情報、周波数情報を送信して、放送情報提供サーバ７０から放送関連情報として、放送された楽曲情報を取得しているが、上記リクエストキーの操作によらずに上記楽曲情報を自動取得するようにしてもよい。例えば、共有のメモリー領域に記憶されている情報ステーション５０から得られた位置情報を、ラジオアプリケーションプログラムを立ち上げたときに通信プログラムが参照する位置情報保持手段としてのメモリー領域に渡す。通信プログラムが参照するメモリー領域に位置情報が渡されたら、受信するラジオ局の周波数情報を取得して、この周波数情報と位置情報とを放送関連情報の要求指令とともに放送情報提供サーバ７０に送信する。放送情報提供サーバ７０は、上述と同様の処理を実行して、携帯電話機２０に楽曲情報を送信する。送信された楽曲情報は、通信プログラムが参照する放送関連情報記憶手段としてのメモリー領域に記憶され、携帯電話機の表示部２７に表示される。そして、所定時間（例えば、３０分）経過したら、再び共有のメモリー領域から位置情報を自動的に通信プログラムが参照するメモリー領域に渡して、再び、受信中のラジオの周波数情報と位置情報とを放送関連情報取得要求指令とともに放送情報提供サーバ７０に送信する。情報提供サーバ７０は、受信した周波数情報と位置情報とから、過去３曲分の楽曲情報を携帯電話機に送信する。携帯電話機２０は、情報提供サーバ７０から受信した過去３曲分の楽曲情報に更新する。また、受信するラジオ放送局の変更があったときも、位置情報と変更された周波数情報とを放送関連取得要求指令とともに情報提供サーバ７０に送信する。そして、通信プログラムが参照するメモリー領域に保持されている楽曲情報を更新し、変更されたラジオ放送局の過去３曲分の楽曲を表示する。これにより、携帯電話機２０は、ラジオ放送受信中において、現在受信中のラジオ局の楽曲情報を常に表示することができ、リクエストキーを押す手間を省くことができる。
【００２６】
また、上記放送情報取得手順においては、放送情報提供サーバ７０から楽曲情報を得るときに、上記情報ステーション５０から受信した位置情報が保存される携帯電話機２０の記憶部２１８内の位置情報記憶手段としてのメモリー領域から、ラジオアプリケーションプログラムの通信プログラムが直接参照するチューナ部２１７内の位置情報保持手段としてのメモリー領域に位置情報を渡しているが、これに限られない。例えば、ラジオアプリケーションプログラム作動中は常に、通信プログラムのメモリー領域に最新の位置情報を保持しておくようにしても良い。この場合においては、ラジオアプリケーションプログラムを起動したときに、情報ステーション５０から受信して保存されている記憶部２１８の共有のメモリー領域内の位置情報を読み出し、通信プログラムが参照するメモリー領域に保存する。そして、リクエストキーが押されたら、通信プログラムが参照するメモリー領域に記憶している位置情報を周波数情報及び放送関連情報取得要求指令とともに放送情報提供サーバ７０に送信して、楽曲情報を得る。携帯電話機２０は、ラジオアプリケーションプログラムが作動しているときは、情報ステーション５０から定期的に位置情報を受信し、ラジオアプリケーションプログラム内の通信プログラムが参照するチューナ部２１７内のメモリー領域に記憶されている位置情報を更新する。
このように、予め位置情報をラジオアプリケーションプログラムの通信プログラムが放送関連情報取得の際に参照するメモリー領域に記憶しておくことで、リクエストキーが押されたときに、上記記憶部２１８の共有のメモリー領域を管理するメモリー管理プログラムに対して位置情報の読み出しを要求して、メモリー管理プログラムから位置情報を取得する必要がない。その結果、リクエストキーを押してから、所望の放送情報を得るまでの時間を短縮することができる。
【００２７】
また、上記放送情報取得手順においては、放送情報提供サーバ７０の検索部７３に放送局特定テーブルを保持しているが、この放送局特定テーブルを携帯電話機２０に保持させてもよい。この場合は、携帯電話機２０の内部で位置情報と周波数情報と放送局特定テーブルとから放送局を特定し、特定した放送局の情報を携帯電話機２０から情報提供サーバ７０に送信する。情報提供サーバ７０は、携帯電話機２０から送信された放送局の情報から、この放送局の過去３曲分の楽曲を検索して、この結果を携帯電話機２０に送信する。
また、携帯電話機２０の内部に放送局特定テーブルを保持することで、記憶部２１８の内部メモリーに記憶している位置情報に基づいて、携帯電話機が位置する地域の主要な放送局の周波数と放送局名（地域の受信放送局情報）とを出力部２１６のＬＣＤ２７（ディスプレイ）に表示することができる。この場合、まず、ラジオアプリケーションプログラムを立ち上げたとき、位置情報を携帯電話機２０内の内部メモリーから受け取る。この受け取った位置情報と放送局特定テーブルとから受信地域を特定し、携帯電話機２０が位置する地域で受信可能な主要な放送局の周波数と放送局名とを携帯電話機２０に表示する。携帯電話機２０の利用者は、表示された周波数と放送局名とから受信したい放送局を選択してクリックする。すると、ラジオアプリケーションプログラムは、選択された放送局からの放送を受信することができる。
【００２８】
また、上記放送情報取得手順において、ユーザーが携帯電話機２０の操作部２１３を操作して手動でも受信地域を限定するようにできることが好ましい。この場合は、ユーザーが操作部２１３を操作して、表示部に受信地域を表示する。ユーザーは表示された受信地域から、受信地域を選択して、クリックする。すると、表示部に選択された受信地域の主要な放送局の周波数と放送局（地域の受信放送局情報）が表示される。
【００２９】
また、上記放送情報取得手順においては、受信中の放送局で放送した過去３曲分の楽曲を携帯電話機２０に表示しているが、これに限られない。例えば、受信中の放送局で放送する今後の３曲分の楽曲を表示させるようにしてもよい。また、リクエストキーを押したときに、放送された楽曲を表示するか、今後放送する楽曲を表示するかを選択させて、周波数情報と位置情報と、過去／未来のパラメータとを放送情報提供サーバに送信するようにしてもよい。また、設定メニューなどで放送された楽曲を表示するか、今後放送する楽曲を表示するかを予め設定しておいてもよい。過去／未来パラメータが「過去」の場合は、放送情報提供サーバ７０は、現在時刻に基づいて、過去３曲分の楽曲を検索して、その結果を携帯電話機２０の送信する。一方、過去／未来パラメータが「未来」の場合は、現在時刻に基づいて、今後放送予定の３曲を検索して、その結果を携帯電話機２０の送信する。
【００３０】
また、携帯電話機２０に表示する放送関連情報は、楽曲の情報に限られない。例えば、受信中のラジオ局の今後放送する番組等を表示するようにしても良い。この場合は、リクエストキーを押したときに、楽曲を表示するか、番組表を表示するかを選択させて、周波数情報、位置情報および表示内容のパラメータを放送情報提供サーバ７０に送信する。これに限らず、楽曲を表示するか、番組表を表示するかを設定メニューなどで予め設定しておいてもよい。この場合、放送情報提供サーバ７０は、楽曲情報を格納したデータベースと番組表のデータを格納したデータベースとを備え、携帯電話機２０から送信された表示パラメータが「楽曲」の場合は、楽曲情報を格納したデータベースを検索する。一方、携帯電話機２０から送信された表示パラメータが「番組」の場合は、番組表のデータを格納したデータベースから今後放送される番組を検索する。
また、その他に、例えば、放送内容が野球中継の場合は、現在打席に入っている選手の成績や、次の打者の情報などを放送関連情報として携帯電話に表示するようにしてもよい。また、放送内容がトーク番組の場合は、ゲストのプロフィール等を放送関連情報として携帯電話に表示するようにしてもよい。
【００３１】
また、上記放送情報提供システムは、テレビ放送についても適用することができる。この場合は、リクエストキーを押したときに、受信しているテレビ放送のチャンネル情報と携帯電話機２０の位置情報とを放送関連情報取得要求指令とともに放送情報提供サーバ７０に送信する。放送情報提供サーバ７０は、受信したチャンネル情報と携帯電話機２０の位置情報とからテレビ放送局を特定して、番組表や、放送内容の情報等、所望の情報を携帯電話機２０に送信する。また、これに限らず、テレビチューナアプリケーション起動時にチャンネル情報と位置情報とを放送情報提供サーバ７０に送信して、放送情報提供サーバ７０から情報を得るようにしても良い。放送情報提供サーバ７０から得られた放送関連情報は、テレビチューナアプリケーションに保持される。そして、受信チャンネルが変更されたときや、一定期間径過後等に再度、チャンネル情報と位置情報とを要求指令とともに放送情報提供サーバ７０に送信する。そして、放送情報提供サーバ７０から新たな放送関連情報を受信して、テレビチューナアプリケーションに保持されている放送関連情報を更新する。このようにすることで、リクエストキーを押さずに、テレビ画面を情報画面に切り換えるだけで、受信中の番組情報を得ることができる。
【００３２】
また、上記ラジオアプリケーションを立ち上げたときに、放送情報提供サーバ７０に位置情報と番組表要求指令とを送信して、携帯電話機２０が位置している地域で受信できる主要な放送局の番組一覧表のデータなどを放送情報提供サーバ７０から受信できるようにしてもよい。これにより、ユーザーは、受信した番組表等の情報からもっともユーザーに好みのあった放送を受信することができ、利便性を向上させることができる。また、受信中であっても、キーを操作して番組表のデータを受信できるようにしてもよい。
【００３３】
（１）
以上、本実施形態の携帯電話機によれば、情報配信サーバとしての情報ステーション５０から定期的に携帯電話機５０の位置情報を受信し、この受信した位置情報を位置情報記憶手段としての記憶部２１８のメモリー領域に保存する。そして、放送情報取得手段を構成するラジオアプリケーションプログラムの通信プログラムで放送情報提供サーバ７０から所望の放送関連情報を取得する際、ラジオアプリケーションのメモリーに保存している位置情報を読み出して、位置情報を要求指令とともに放送情報提供サーバ７０に送信する。このように、本実施形態の携帯電話機は、放送関連情報を取得する際、放送情報提供サーバ７０に送信する位置情報を、上記情報ステーション５０から受信した位置情報が保存されている携帯電話機２０内のメモリーから得る。よって、従来のように放送情報を取得する際に基地局と通信して放送情報提供サーバ７０に送信する位置情報を得るものに比べて、放送関連情報の取得を開始してから所望の放送関連情報を得るまでの時間を短縮することができる。
（２）
また、本実施形態の携帯電話機によれば、上記通信プログラムを実行する放送情報取得手段としての主制御部２１５は、位置情報を一時的に保持する位置情報保持手段としてのメモリー領域を有している。そして、情報ステーション５０から位置情報を含む配信情報を受信したときに、上記通信プログラムが参照可能なメモリー領域に一時的に保持されている位置情報を、情報ステーション５０から受信した位置情報に更新している。具体的には、ラジオアプリケーションプログラムを立ち上げたときに、情報ステーション５０からから受信した位置情報が保存されている記憶部２１８の共有のメモリー領域から位置情報を読み出し、上記通信プログラムが参照可能な主制御部２１５内のメモリー領域に渡して一時保持する。そして、ラジオアプリケーションプログラムで放送内容の受信中に、情報ステーション５０から位置情報を含む配信情報を受信したとき、通信プログラムが参照するメモリー領域に一時保持している位置情報を、情報ステーション５０から受信した位置情報に更新する。これにより、放送内容の受信中は、常に通信プログラムが参照するメモリー領域に最新の位置情報が保持される。よって、通信プログラムで放送関連情報の取得をするときは、上記通信プログラムが直接参照可能なメモリー領域に保存されている最新の位置情報を要求指令とともに放送情報提供サーバ７０に送信すればよい。このように、通信プログラムで放送関連情報の取得を開始する前に、すでに通信プログラムが参照するメモリー領域に最新の位置情報を保持しているので、通信プログラムで放送関連情報の取得を開始するときに、上記記憶部２１８の共有のメモリー領域に記憶されている情報の読み出し・書き込みを管理するメモリー管理プログラムに対して共有のメモリー領域に記憶されている位置情報の読み出し要求して、メモリー管理プログラムから位置情報を取得する必要がない。その結果、放送関連情報の取得を開始するときに、メモリー管理プログラムに対して共有のメモリー領域に記憶されている位置情報の読み出し要求を行って位置情報を得るものに比べて、放送関連情報の取得を開始してから所望の放送情報を得るまでの時間を短縮することができる。
（３）
また、本実施形態の携帯電話機によれば、放送の受信を開始したときに、放送情報提供サーバ７０から放送関連情報を取得し、取得した放送関連情報を放送関連情報記憶手段としての記憶部２１８に保存する。そして、上記放送受信を開始した後、所定時間経過したときまたは受信放送局を変更したときに、再度、放送情報提供サーバ７０から放送関連情報を取得し、記憶部２１８に記憶されている放送関連情報を更新する。これにより、携帯電話機２０の利用者が放送関連情報を得たいときは、上記記憶部２１８に記憶されている放送関連情報を読み出すだけで放送関連情報を得ることができる。よって、携帯電話機２０の利用者が放送関連情報を得たいときに放送情報提供サーバ７０と通信を行って放送関連情報を得るものに比べて、短時間で放送関連情報を得ることができる。
（４）
また、本実施形態の携帯電話機によれば、上記位置情報に基づいて限定した地域で受信可能な受信放送局情報（周波数・放送局名）のみＬＣＤ（表示部）２７に表示するように表示制御している。これにより、携帯電話機２０の利用者は、画面に表示される受信放送局情報を見れば、現在利用者が位置する地域で携帯電話機２０が受信できる放送局を把握することができる。よって、携帯電話機２０の利用者は、携帯電話機２０の表示部に表示された受信放送局情報に基づいて、容易に受信できる放送局を探しだすことができる。
（５）
また、本実施形態の携帯電話機によれば、上記位置情報に基づいて上記地域を限定するか、手動で上記地域を限定するかの切り換えを可能にしている。携帯電話機２０が地域の境目付近に位置している場合は、情報ステーション５０から受信した位置情報に基づいて限定した地域の受信放送局情報に基づいて放送局を指定しても、その放送局からの放送をきれいに受信できない場合がある。このような場合、情報ステーション５０から受信した位置情報に基づいて上記地域を限定する方法から、手動で上記地域を限定する方法に切り換える。そして、例えば、携帯電話機２０が位置する地域と隣接する地域を手動で限定して、携帯電話機のＬＣＤ（表示部）２７に表示する受信放送局情報を、隣接する地域の受信放送局情報とする。この場合は、隣接する地域の放送局情報に基づいて、ノイズのない受信状態で放送内容を受信できる放送局を探すことができる。
（６）
また、本実施形態の携帯電話機によれば、ラジオアプリケーションプログラムの起動時に、上記放送関連情報として、携帯電話機２０が位置する地域で受信可能な放送局の番組表のデータを放送情報提供サーバ７０から取得する。そして、放送情報提供サーバ７０から取得した番組表を携帯電話機２０のＬＣＤ（表示部）２７に表示する。これにより、携帯電話機２０の利用者は、携帯電話機２０に表示された番組表から、受信可能な放送局で現在放送されている番組内容を把握することができる。よって、利用者が興味のある内容の番組を現在放送している放送局を、容易に探し出すことができる。
（７）
また、本実施形態の携帯電話機によれば、放送情報提供サーバ７０から取得する放送関連情報の内容を、選択手段としての操作部２１３で選択し、この選択した放送関連情報を放送情報提供サーバから取得することができる。この放送関連情報の選択は、放送関連情報の取得を開始するときに行ってもいいし、設定メニューなどで予め放送関連情報を選択しておいてもよい。このように、放送情報提供サーバ７０から取得する放送関連情報を選択可能とすることで、利用者が知りたい放送関連情報を選択して得ることができる。
【図面の簡単な説明】
【００３４】
【図１】（ａ）は本発明の実施形態に係る携帯電話機の外観を示す正面図。（ｂ）はその背面図。
【図２】同携帯電話機のハードウェア構成を示す概略構成図。
【図３】同携帯電話機の主要部を抽出して示したブロック図。
【図４】放送情報提供システムの概略ブロック図。
【図５】放送局テーブルの一例を示す図。
【図６】放送局特定テーブルの一例を示す図。
【図７】携帯電話機に表示する応答ページの一例を示す図。
【符号の説明】
【００３５】
２０  携帯電話機
２７  ＬＣＤ（表示部）
２９  外部出力用スピーカ
４０  移動体通信網
５０  情報ステーション
６０  ラジオ局サーバ
７０  放送情報提供サーバ
８０  基地局
２１１  電話通信部
２１２  データ通信部
２１３  操作部
２１５  主制御部
２１６  出力部
２１７  チューナ部
２１８  記憶部
【図１】
2006222571.tif 000003
【図２】
2006222571.tif 000004
【図３】
2006222571.tif 000005
【図４】
2006222571.tif 000006
【図５】
2006222571.tif 000007
【図６】
2006222571.tif 000008
【図７】
2006222571.tif 000009